(57)【要約】【課題】簡易な構成及び操作で、容易かつ確実にセキュリティを確保し得る情報処理装置及びセキュリティ管理方法を実現する。【解決手段】第１の筐体に対して第２の筐体が開閉可能に接続され、第２の筐体が閉状態にあるとき第１及び第２の筐体によってキーボードが隠蔽されるようになされた情報処理装置において、任意の外部記憶媒体及び情報記憶手段の双方に認証コードを書き込み、当該外部記憶媒体の脱着に応じて第２の筐体を閉状態にするとともに、外部記憶媒体の再挿着に応じて当該外部記憶媒体及び情報記憶手段の双方に書き込まれている認証コードを比較し、両者が一致したときのみ、正当なユーザによる操作であると判断して第２の筐体を開状態にすることにより、情報記憶媒体を脱着するだけで、簡易かつ確実に情報処理装置のセキュリティを確保することができる。【選択図】　　　　図４
2004110201.tif 000002
【特許請求の範囲】
【請求項１】
第１の筐体に対して第２の筐体が開閉可能に接続され、上記第２の筐体が閉状態にあるとき上記第１及び第２の筐体によってキーボードが隠蔽されるようになされた情報処理装置において、
上記第２の筐体を開閉駆動する開閉駆動手段と、
情報記憶手段と、
外部記憶媒体を挿着するための外部記憶媒体装着手段と、
上記情報記憶手段と、上記外部記憶媒体装着手段に挿着された任意の上記外部記憶媒体とに認証コードを書き込む認証コード書込手段と、
上記外部記憶媒体装着手段から上記外部記憶媒体が脱着されたとき、上記開閉駆動手段を制御して上記第２の筐体を閉状態にし、上記外部記憶媒体装着手段に上記外部記憶媒体が再挿着されたとき、当該再挿着された外部記憶媒体に書き込まれている上記認証コードと上記情報記憶手段に書き込まれている上記認証コードとを比較し、両者が一致したとき、正当なユーザによる操作であると判断して上記開閉駆動手段を制御して上記第２の筐体を開状態にするユーザ認証手段と
を具えることを特徴とする情報処理装置。
【請求項２】
上記第２の筐体を強制的に開状態にするための強制筐体開手段
を具え、
上記ユーザ認証手段は、上記強制筐体開手段によって上記第２の筐体が開状態にされたとき、ユーザによって入力された上記認証コードと上記情報記憶手段に書き込まれている上記認証コードとを比較し、両者が一致したとき正当なユーザによる操作であると判断する
ことを特徴とする請求項１に記載の情報処理装置。
【請求項３】
第１の筐体に対して第２の筐体が開閉可能に接続され、上記第２の筐体が閉状態にあるとき上記第１及び第２の筐体によってキーボードが隠蔽されるようになされた情報処理装置のセキュリティ管理方法において、
情報処理装置に設けられた情報記憶手段と、当該情報処理装置に設けられた外部記憶媒体装着手段に挿着された外部記憶媒体とに認証コードを書き込む認証コード書込ステップと、
上記外部記憶媒体装着手段から上記外部記憶媒体が脱着されたとき、上記第２の筐体を閉状態にする筐体閉ステップと、
上記外部記憶媒体装着手段に上記外部記憶媒体が再挿着されたとき、当該再挿着された外部記憶媒体に書き込まれている上記認証コードと上記情報記憶手段に書き込まれている上記認証コードとを比較し、両者が一致したとき、正当なユーザによる操作であると判断して上記第２の筐体を開状態にする筐体開ステップと
を具えることを特徴とするセキュリティ管理方法。
【発明の詳細な説明】
【０００１】
【発明の属する技術分野】
本発明は情報処理装置及びセキュリティ管理方法に関し、例えばパーソナルコンピュータに適用して好適なものである。
【０００２】
【従来の技術】
従来、デスクトップ型のパーソナルコンピュータにおいて、表示手段として液晶ディスプレイを用いたものがある（例えば、特許文献１参照）。
【０００３】
さらに、液晶ディスプレイを用いたデスクトップ型のパーソナルコンピュータにおいて、液晶ディスプレイを有する表示部に対してキーボード部を手動開閉自在に接続した、キーボード一体型の折り畳み式パーソナルコンピュータが考えられている。
【０００４】
かかるキーボード一体型の折り畳み式パーソナルコンピュータにおいては、キーボード部を表示部に対して手動で閉じることにより表示手段及びキーボードを隠蔽し、第３者による窃視や操作を防止して当該パーソナルコンピュータのセキュリティを確保することができる。
【０００５】
【特許文献１】
特開２００２−７３２１３号公報（第３頁、第１図）
【０００６】
【発明が解決しようとする課題】
しかしながら、かかるキーボード一体型の折り畳み式パーソナルコンピュータにおいては、単にキーボード部を開閉自在に接続したのみであることから、悪意ある第３者によってキーボード部を開けられてしまう可能性があり、セキュリティを完全には確保し得ないという問題があった。
【０００７】
本発明は以上の点を考慮してなされたもので、簡易な操作及び構成で、容易かつ確実にセキュリティを確保し得る情報処理装置及びセキュリティ管理方法を提案しようとするものである。
【０００８】
【課題を解決するための手段】
かかる課題を解決するため本発明においては、第１の筐体に対して第２の筐体が開閉可能に接続され、第２の筐体が閉状態にあるとき第１及び第２の筐体によってキーボードが隠蔽されるようになされた情報処理装置において、第２の筐体を開閉駆動する開閉駆動手段と、情報記憶手段と、外部記憶媒体を挿着するための外部記憶媒体装着手段と、情報記憶手段と外部記憶媒体装着手段に挿着された任意の外部記憶媒体と、外部記憶媒体装着手段から外部記憶媒体が脱着されたとき開閉駆動手段を制御して第２の筐体を閉状態にし、外部記憶媒体装着手段に外部記憶媒体が挿着されたとき当該挿着された外部記憶媒体に書き込まれている認証コードと情報記憶手段に書き込まれている認証コードとを比較し、両者が一致したとき、正当なユーザによる操作であると判断して開閉駆動手段を制御して上記第２の筐体を開状態にするユーザ認証手段とを設けた。
【０００９】
任意の外部記憶媒体及び情報記憶手段の双方に認証コードを書き込み、当該外部記憶媒体の脱着に応じて第２の筐体を閉状態にするとともに、外部記憶媒体の再挿着に応じて当該外部記憶媒体及び情報記憶手段の双方に書き込まれている認証コードを比較し、両者が一致したときのみ、正当なユーザによる操作であると判断して第２の筐体を開状態にすることにより、情報記憶媒体を脱着するだけで、簡易かつ確実に情報処理装置のセキュリティを確保することができる。
【００１０】
また本発明においては、第２の筐体を強制的に開状態にするための強制筐体開手段を設け、ユーザ認証手段は、強制筐体開手段によって第２の筐体が開状態にされたとき、ユーザによって入力された認証コードと情報記憶手段に書き込まれている認証コードとを比較し、両者が一致したとき正当なユーザによる操作であると判断するようにした。
【００１１】
これにより、ユーザが情報記憶手段を紛失した場合でも当該ユーザの正当性を証明することができる。
【００１２】
【発明の実施の形態】
以下図面について、本発明の一実施の形態を詳述する。
【００１３】
（１）パーソナルコンピュータの全体構成
図１において、１は全体として本発明を適用したディスプレイ一体型のデスクトップパーソナルコンピュータ（以下、パーソナルコンピュータと呼ぶ）を示し、ディスプレイ部２、ベース部３、キーボード部４及びマウス５で構成される。
【００１４】
第１の筐体としてのディスプレイ部２には、その正面中央部に液晶ディスプレイ６が設けられているとともに、当該液晶ディスプレイ６の両脇にはスピーカ７（右スピーカ７Ｒ及び左スピーカ７Ｌ）が設けられている。またディスプレイ部２の左側面部には、メモリスティック（ソニー（株）商標）８を挿着するための、２つのメモリスティックスロット９Ａ及び９Ｂが設けられている。なお、一方のメモリスティックスロット９Ａは、後述するキーボードプロテクト処理においてプロテクトキーとして用いられるメモリスティックの専用スロット（プロテクトキースロット）とされ、他方のメモリスティックスロット９Ｂは、通常のデータ書き込み及び読み出しに用いられるデータスロットとされている。
【００１５】
ここでメモリースティックは、本願出願人であるソニー株式会社によって開発されたフラッシュメモリカードの一種であり、小型薄型形状のプラスティックケース内に電気的に書換えや消去可能な不揮発性メモリであるＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　Ｒｅａｄ　Ｏｎｌｙ　Ｍｅｍｏｒｙ　）を格納したもので、１０ピン端子を介して画像や音声等の各種データの書き込み及び読み出しが可能となっている。
【００１６】
一方、第２の筐体としてのキーボード部４の上面にはキーボード１０が設けられており、また当該キーボード部４の奥側はヒンジ部１１を介してディスプレイ部２の下端に回動自在に接続されている。このヒンジ部１１の中央部には、モータ１２Ａ及び当該モータ１２Ａの回転出力を減速する減速器１２Ｂからなる開閉駆動手段としてのキーボード駆動部１２が内蔵されており、減速器１２Ｂの出力軸がキーボード部４の回動軸（図示せず）に接続されている。
【００１７】
そしてこのパーソナルコンピュータ１においては、後述するＣＰＵの制御によってモータ１２Ａを正転または逆転させることにより、図２に示すように、キーボード９に対するキー操作が可能なキーボード開状態（図２（Ａ））から、中間状態（図２（Ｂ））を経て、キーボード１０に対するキー操作を不可とするキーボード閉状態（図２（Ｃ））へ、またはその逆へとキーボード部４を開閉駆動するようになされている。
【００１８】
（２）パーソナルコンピュータの回路構成
次に、パーソナルコンピュータ１の回路構成を図３に示すブロック図を用いて詳細に説明する。このパーソナルコンピュータ１においては、当該パーソナルコンピュータ１を統括的に制御するＣＰＵ（Ｃｅｎｔｒａｌ　Ｐｒｏｃｅｓｓｉｎｇ　Ｕｎｉｔ　）２０に対し、ノースブリッジ２１Ａ及びサウスブリッジ２１Ｂの２つのブロックからなるチップセット２１が接続されている。
【００１９】
ノースブリッジ２１Ａには、液晶ディスプレイ６に対する表示制御を行うビデオコントローラ２２及び各種プログラムを実行するためのメモリ３３が接続されており、ＣＰＵ２０は当該ノースブリッジ２１Ａを介してビデオコントローラ２２及びメモリ３３に対して高速にアクセスし得るようになされている。
【００２０】
またサウスブリッジ２１Ｂには、オーディオコントローラ２４、ＵＳＢ（Ｕｎｉｖｅｒｓａｌ　Ｓｅｒｉａｌ　Ｂｕｓ）２６、２つのメモリスティックスロット９Ａ及び９Ｂ、ブルートゥースモジュール２８等の各種インターフェース、情報記憶手段としてのハードディスクドライブ２９、、ＣＤ−ＲＯＭ（Ｃｏｍｐａｃｔ　Ｄｉｓｋ−Ｒｅａｄ　Ｏｎｌｙ　Ｍｅｍｏｒｙ）ドライブ３０、並びにパーソナルコンピュータ１の基本入出力プログラムを記憶したＢＩＯＳ（Ｂａｓｉｃ　Ｉｎｐｕｔ／Ｏｕｔｐｕｔ　Ｓｙｓｔｅｍ　）チップ３１が接続されている。
【００２１】
さらにサウスブリッジ２１Ｂには、ＰＣＩ（Ｐｅｒｉｐｈｅｒａｌ　Ｃｏｍｐｏｎｅｎｔｓ　Ｉｎｔｅｒｃｏｎｎｅｃｔ）バス３２を介してＩＥＥＥ（Ｉｎｔｅｒｎａｔｉｏｎａｌ　Ｅｌｅｃｔｒｉｃ　ａｎｄ　Ｅｌｅｃｔｒｏｎｉｃ　Ｅｘｐｅｒｔｓ　Ｇｒｏｕｐ　）１３９４インターフェース３４及びＰＣカードインターフェース３５が接続されているとともに、代替ＩＳＡ（Ｉｎｄｕｓｔｒｉａｌ　Ｓｔａｎｄａｒｄ　Ａｒｃｈｉｔｅｃｔｕｒｅ）バス３３を介してＳｕｐｅｒＩ／Ｏインターフェース３６及びＨ８マイコン３７が接続されている。
【００２２】
ＳｕｐｅｒＩ／Ｏインターフェース３６は、シリアルポート３８及びパラレルポート３９を介した入出力を制御する。またＨ８マイコン３７は、キーボードインターフェース４０に接続されたキーボード１０や、ＰＳ／２インターフェース４２に接続されたマウス５を介した操作入力を制御する。
【００２３】
ＣＰＵ２０はチップセット２１を介してハードディスクドライブ２９にアクセスし、当該ハードディスクドライブ２９に格納されているオペレーティングシステム（基本プログラム）をメモリ２３にロードして実行する。また、ハードディスクドライブ２９にはオペレーティングシステムに加え、アプリケーションプログラムも格納されており、ＣＰＵ２０はオペレーティングシステムの実行環境下において、自動的あるいはユーザ操作に応じてアプリケーションプログラムを実行する。
【００２４】
かかる構成に加えてこのパーソナルコンピュータ１においては、上述したキーボード部４を開閉駆動するための筐体駆動手段としてのキーボード駆動部１２がＳｕｐｅｒＩ／Ｏインターフェース３６に接続されているとともに、当該キーボード部４の開閉状態を検出する開閉検出部４３がＨ８マイコン３７に接続されている。
【００２５】
ＣＰＵ２０は後述するキーボードプロテクトプログラムに従ってキーボード駆動部１１を制御し、ユーザが一時的にパーソナルコンピュータ１から離れる場合等に、キーボード部４を図２（Ｃ）に示すキーボード閉状態にすることにより、パーソナルコンピュータ１に対する不正使用者の操作を防止するようになされている。
【００２６】
（３）キーボードプロテクト処理
次に、上述したキーボードプロテクトプログラムによる、セキュリティ管理方法としてのキーボードプロテクト処理を図４に示すフローチャートを用いて説明する。
【００２７】
実際上パーソナルコンピュータ１のＣＰＵ２０は、オペレーティングシステムの起動が完了すると、当該オペレーティングシステムに従ってハードディスクドライブ２９からキーボードプロテクトプログラムを読みだして実行する。このとき、キーボード部４は図２（Ａ）に示すキーボード開状態に制御されている。
【００２８】
すなわちパーソナルコンピュータ１のＣＰＵ２０は、ルーチンＲＴ１の開始ステップから入ってステップＳＰ１に移り、図５に示すキーボードプロテクト実行確認画面１００を液晶ディスプレイ５に表示し、ユーザに対して、キーボードプロテクトを実行するか否かの確認を要求する。
【００２９】
ステップＳＰ１において、ユーザのマウス操作によりポインタ１０１を介してキャンセルボタン１０２がクリックされると、このときＣＰＵ２０はステップＳＰ１１に移ってキーボードプロテクト処理を終了する。
【００３０】
これに対して、ステップＳＰ１において実行ボタン１０３がクリックされると、このときＣＰＵ２０は次のステップＳＰ２に移る。
【００３１】
ステップＳＰ２において、ユーザ認証手段としてのＣＰＵ２０は、図６に示す認証コード入力画面１１０を液晶ディスプレイ５に表示し、ユーザに対して、任意のＩＤ及びパスワードからなる認証コードの入力を要求する。そしてＣＰＵ２０は、ユーザによって認証コード入力画面１１０上でＩＤ及びパスワードが入力されると次のステップＳＰ３に移る。
【００３２】
ステップＳＰ３においてＣＰＵ２０は、図７に示すメモリスティック挿着要求画面１２０を液晶ディスプレイ５に表示し、ユーザに対し、当該ユーザの正当性を証明するためのプロテクトキーとして用いる外部記憶媒体としてのメモリスティック８を、外部記憶媒体装着手段としてのプロテクトキースロット９Ａに挿着することを要求する。このプロテクトキーとして用いるメモリスティック８は、一般に市販されている標準品でよく、認証コードを書き込むための空き容量を有してさえいればよい。すなわち、ユーザは手持ちの適当なメモリスティック８をプロテクトキーとして用いることができる。そしてＣＰＵ２０は、空き容量があるメモリスティック８がプロテクトキースロット９Ａに挿着されたことを検出すると、次のステップＳＰ４に移る。
【００３３】
ステップＳＰ４において、認証コード書込手段としてのＣＰＵ２０は、プロテクトキースロット９Ａに挿着されたメモリスティック８（すなわちプロテクトキー）と、キーボードプロテクトプログラムで指定されるハードディスクドライブ２９内の所定領域とに、入力された認証コード（ＩＤ及びパスワード）を書き込む。このときＣＰＵ２０は、所定の暗号化プログラムに従って認証コードを暗号化することにより、プロテクトキーやパーソナルコンピュータに対するハッキングを防止するようになされている。
【００３４】
そしてＣＰＵ２０は、図８に示す書き込み完了画面１３０を液晶ディスプレイ５に表示して、認証コードの書き込みが完了したことをユーザに通知する。かくしてプロテクトキー及びパーソナルコンピュータの双方に認証コードが書き込まれ、キーボードプロテクトの準備が完了する。この状態において、ユーザがパーソナルコンピュータ１の使用を中断して当該パーソナルコンピュータ１の近傍から離れる場合、プロテクトキースロット９Ａからメモリスティック８（プロテクトキー）を取り出すことにより、キーボード部４を閉状態にして他者によるパーソナルコンピュータ１の不正操作を防止することができる。
【００３５】
すなわち、ユーザ認証手段としてのＣＰＵ２０は、次のステップＳＰ５においてプロテクトキースロット９Ａからのメモリスティック８の脱着を待ち受ける。そしてメモリスティック８が脱着されたことを検出すると、ＣＰＵ２０は次のステップＳＰ６に移り、キーボード駆動部１２を動作させて図２（Ｃ）に示すキーボード閉状態にする。この状態において、キーボード１０はディスプレイ部２とキーボード部４との間に格納されており、これにより当該キーボード１０に対する操作を防止することができる。
【００３６】
そして、ユーザがパーソナルコンピュータ１近傍に戻って当該パーソナルコンピュータ１の使用を再開する場合、認証コードが書き込まれたメモリスティック８（すなわちプロテクトキー）をプロテクトキースロット９Ａに挿着することにより、キーボード部４を開状態にしてキーボード１０に対する操作を行い得るようにする。
【００３７】
すなわち、ユーザ認証手段としてのＣＰＵ２０は、次のステップＳＰ７においてプロテクトキースロット９Ａに対するメモリスティック８の挿着を待ち受ける。そしてメモリスティック８が挿着されたことを検出すると、ＣＰＵ２０は次のステップＳＰ８に移り、メモリスティック８に書き込まれている認証コードとハードディスクドライブ２９に書き込まれている認証コードをそれぞれ読み出して比較する。
【００３８】
ステップＳＰ８において、メモリスティック８の認証コードとハードディスクドライブ２９の認証コードとが一致しないか、あるいはメモリスティック８に認証コードが書き込まれていない場合、このことはこのメモリスティック８が正当なプロテクトキーではない事を表しており、このときユーザ認証手段としてのＣＰＵ２０は、ステップＳＰ７に戻って新たなメモリスティック８の挿着を待ち受ける。
【００３９】
これに対してステップＳＰ８において、メモリスティック８の認証コードとハードディスクドライブ２９の認証コードとが一致した場合、このことはこのメモリスティック８が正当なプロテクトキーである事を表しており、このときユーザ認証手段としてのＣＰＵ２０は次のステップＳＰ９に移り、キーボード駆動部１２を動作させて図２（Ａ）に示すキーボード開状態にする。この状態において、ユーザは通常通りキーボード１０に対する操作を行うことができる。
【００４０】
そして、ステップＳＰ１０においてＣＰＵ２０は、図９に示すキーボードプロテクト終了確認画面１４０を液晶ディスプレイ５に表示し、ユーザに対して、キーボードプロテクトを終了するか否かの確認を要求する。
【００４１】
ステップＳＰ１０において、ユーザのマウス操作によりポインタ１０１を介してキャンセルボタン１４１がクリックされると、このときＣＰＵ２０はステップＳＰ５に戻り、再度メモリスティック８の脱着を待ち受ける。これに対して、ステップＳＰ１０において終了ボタン１４２がクリックされると、このときＣＰＵ２０はステップＳＰ１１に移ってキーボードプロテクト処理を終了する。
【００４２】
このようにしてＣＰＵ２０は、プロテクトキースロット９Ａに挿着されたプロテクトキーの有無に応じてキーボード部４を開状態又は閉状態に制御する。
【００４３】
ちなみにパーソナルコンピュータ１においては、ユーザがプロテクトキーを紛失した場合にキーボード部４を強制的に開けるための、強制筐体開手段としての強制開ボタン（図示せず）が本体部３の裏側に設けられている。ユーザ認証手段としてのＣＰＵ２０は、強制開ボタンが押下されキーボード部４が開状態にされた場合、認証コード入力画面１１０（図６）を液晶ディスプレイ１１に表示し、ユーザに対して認証コード（ＩＤ及びパスワード）の入力を要求する。
【００４４】
そしてＣＰＵ２０は入力された認証コードとハードディスクドライブ２９内に記憶されている認証コードとを比較し、これらが一致した場合、正当なユーザによる操作であるとしてキーボードプロテクト処理を強制終了することにより、ユーザがプロテクトキーを紛失した場合でも当該ユーザの正当性を証明し得るようになされている。
【００４５】
（４）動作及び効果
以上の構成において、パーソナルコンピュータ１のＣＰＵ２０はキーボードプロテクトプログラムに従い、ユーザによって入力された認証コードを、プロテクトキースロット９Ａに挿着されたプロテクトキーとしてのメモリスティック８及びハードディスクドライブ２９に書き込む。
【００４６】
そしてＣＰＵ２０は、ユーザによってプロテクトキーがプロテクトキースロット９Ａから脱着されると、これに応じてキーボード駆動部１２を動作させキーボード部４をキーボード閉状態にし、キーボード１０に対する操作を防止する。
【００４７】
この状態においてＣＰＵ２０は、プロテクトキースロット９Ａに対するメモリスティック８の再挿着を監視する。そしてＣＰＵ２０は、メモリスティック８の挿着を検出すると、当該再挿着されたメモリスティック８及びハードディスクドライブ２９から、認証コードをそれぞれ読み出して比較し、両者が一致したときのみ挿着されたメモリスティック８が正当なプロテクトキーであるものとして、キーボード駆動部１２を動作させキーボード部４をキーボード開状態にする。
【００４８】
以上の構成によれば、プロテクトキースロット９Ａに挿着されたメモリスティック８及びハードディスクドライブ２９の双方に認証コードを書き込み、当該メモリスティック８の脱着に応じてキーボード部４を閉状態にし、さらに、プロテクトキースロット９Ａに再挿着されたメモリスティック８及びハードディスクドライブ２９の認証コードが一致した場合にのみキーボード部４を開状態にすることにより、メモリスティック８をプロテクトキースロット９Ａから着脱するだけで、簡易かつ確実にキーボード１０への不正操作を防止してパーソナルコンピュータ１のセキュリティを確保することができる。
【００４９】
（５）他の実施の形態
なお上述の実施の形態においては、キーボード駆動部によってキーボード部が電動で開閉駆動されるようになされたディスプレイ一体型のデスクトップパーソナルコンピュータに本発明を適用した場合について述べたが、本発明はこれに限らず、ディスプレイ部と本体部とが開閉可能に接続されたノート型パーソナルコンピュータやＰＤＡ（Ｐｅｒｓｏｎａｌ　Ｄｉｇｉｔａｌ　Ａｓｓｉｓｔａｎｔｓ　）等、筐体の一部が開閉してキーボードを隠蔽し得るようになされた様々な情報処理装置に本発明を適用することができる。
【００５０】
この場合、上述の実施の形態のキーボード駆動部に代えて、筐体を閉状態で保持するロック機構を設け、プロテクトキーが挿着されていない場合は当該ロック機構によって筐体を開けることができないようにすれば、より簡易な構成で上述の実施例と同様なセキュリティ効果を得ることができる。
【００５１】
また上述の実施の形態においては、ＣＰＵ２０がハードディスクドライブ２９に格納されたキーボードプロテクトプログラムに従ってキーボードプロテクト処理を行うようにしたが、本発明はこれに限らず、キーボードプロテクトプログラムが格納されたプログラム格納媒体をインストールすることにより、上述のキーボードプロテクト処理を行うようにしても良い。
【００５２】
このように上述した一連のキーボードプロテクト処理を実行するキーボードプロテクトプログラムをパーソナルコンピュータ１にインストールし、当該パーソナルコンピュータによって実行可能な状態とするために用いられるプログラム格納媒体としては、例えばＣＤ−ＲＯＭやＤＶＤ−ＲＯＭ（Ｄｉｇｉｔａｌ　Ｖｅｒｓａｔｉｌｅ　Ｄｉｓｃ−Ｒｅａｄ　Ｏｎｌｙ　Ｍｅｍｏｒｙ　）等のパッケージメディアのみならず、プログラムが一時的又は永続的に格納される半導体メモリや光磁気ディスク等で実現してもよい。また、これらプログラム格納媒体にプログラムを格納する手段としては、ローカルエリアネットワークやインターネット、ディジタル衛星放送等の有線及び無線通信媒体を利用しても良く、ルータやモデム等の各種通信インターフェースを介在させて格納するようにしてもよい。
【００５３】
【発明の効果】
上述のように本発明によれば、任意の外部記憶媒体及び情報記憶手段の双方に認証コードを書き込み、当該外部記憶媒体の脱着に応じて第２の筐体を閉状態にするとともに、外部記憶媒体の再挿着に応じて当該外部記憶媒体及び情報記憶手段の双方に書き込まれている認証コードを比較し、両者が一致したときのみ、正当なユーザによる操作であると判断して第２の筐体を開状態にすることにより、情報記憶媒体を脱着するだけで、簡易かつ確実に情報処理装置のセキュリティを確保することができる。
【図面の簡単な説明】
【図１】本発明によるパーソナルコンピュータの全体構成を示す略線図である。
【図２】キーボードの開閉状態を示す略線図である。
【図３】パーソナルコンピュータの回路構成を示すブロック図である。
【図４】キーボードプロテクト処理手順を示すフローチャートである。
【図５】キーボードプロテクト開始確認画面を示す略線図である。
【図６】認証コード入力画面を示す略線図である。
【図７】プロテクトキー挿着要求画面を示す略線図である。
【図８】書込完了画面を示す略線図である。
【図９】キーボードプロテクト終了確認画面を示す略線図である。
【符号の説明】
１……パーソナルコンピュータ、２……ディスプレイ部、３……ベース部、４……キーボード部、５……マウス、６……液晶ディスプレイ、７……スピーカ、８……メモリスティック、９……メモリスティックスロット、１０……キーボード、１１……ヒンジ部、１２……開閉駆動部、２０……ＣＰＵ、２１……チップセット、２２……ビデオコントローラ、２３……メモリ、２４……オーディオコントローラ、２５……モデム、２６……ＵＳＢインターフェース、２８……ブルートゥースモジュール、２９……ハードディスクドライブ、３０……ＣＤ−ＲＯＭドライブ、３１……ＢＩＯＳチップ、３２……ＰＣＩバス、３３……代替ＩＳＡバス、３４……ＩＥＥＥ１３９４インターフェース、３５……ＰＣカードインターフェース、３６……ＳｕｐｅｒＩ／Ｏインターフェース、３７……Ｈ８マイコン、３８……シリアルポート、３９……パラレルポート、４０……キーボードインターフェース、４２……ＰＳ／２インターフェース、４３……開閉検出部。
【図１】
2004110201.tif 000003
【図２】
2004110201.tif 000004
【図３】
2004110201.tif 000005
【図４】
2004110201.tif 000006
【図５】
2004110201.tif 000007
【図６】
2004110201.tif 000008
【図７】
2004110201.tif 000009
【図８】
2004110201.tif 000010
【図９】
2004110201.tif 000011